(57)【要約】【課題】駅構内や電車内などの掲出物の状況を把握し、異常が見つかった場合に迅速に改善することを可能にする。【解決手段】非接触型記憶素子を掲出物に付帯させ、掲出枠及び被掲出物に読取装置を設置する。掲出物に付帯する非接触型記憶素子の情報を読取装置が取得し、読取装置の情報と合わせて掲出状態データ収集用サーバに送信する。掲出状態管理サーバは、掲出状態データ収集用サーバを経由して読取装置が送信する情報を取得する。掲出物に不備が発生した場合には、掲出状態管理サーバは読取装置が送信する情報と掲出物状態データデータベースを利用して不備が発生した掲出物及び読取装置の情報を抽出し、状態監視端末に通知する。状態監視端末は掲出状態に不備が発生した掲出物の情報を出力し、対応者に対して掲出状態の復旧作業指示を可能とする。【選択図】  図１
2007065843.tif 000002
【特許請求の範囲】
【請求項１】
鉄道車両や駅構内における掲出物の各掲出場所にそれぞれ設置される無線ＩＣリーダと通信可能に接続され、
各掲出場所にそれぞれ設置される無線ＩＣリーダの識別情報と、各掲出場所にそれぞれ掲出される掲出物に付加される無線ＩＣチップに記憶される当該掲出物の識別情報と、を対応付けて記憶する掲出物管理テーブルと、
各無線ＩＣリーダから、各無線ＩＣリーダがそれぞれ読み取った掲出物の識別情報と、当該無線ＩＣリーダの識別情報と、を受信する識別情報受信部と、
前記受信した無線ＩＣリーダの識別情報と対応付けて記憶されている掲出物の識別情報と、前記受信した掲出物の識別情報と、の比較を行う識別情報比較部と、
前記比較の結果を出力する比較結果出力部と、
を備える情報処理装置。
【請求項２】
前記掲出物管理テーブルには、各無線ＩＣリーダの識別情報とそれぞれ対応付けて、各無線ＩＣリーダが設置される掲出場所を示す情報が記憶され、
前記比較結果出力部は、前記比較の結果を、前記掲出場所を示す情報と共に出力する
ことを特徴とする請求項１に記載の情報処理装置。
【請求項３】
前記掲出物管理テーブルには、各無線ＩＣリーダの識別情報とそれぞれ対応付けて、前記比較の要否を示す情報が記憶され、
前記識別情報比較部は、比較が必要であることを示す情報と対応付けて記憶されている無線ＩＣリーダの識別情報について、前記比較を行う
ことを特徴とする請求項１に記載の情報処理装置。
【請求項４】
鉄道車両や駅構内における掲出物の各掲出場所にそれぞれ設置される無線ＩＣリーダと通信可能に接続され、各掲出場所にそれぞれ設置される無線ＩＣリーダの識別情報と、各掲出場所にそれぞれ掲出される掲出物に付加される無線ＩＣチップに記憶される当該掲出物の識別情報と、を対応付けて記憶する掲出物管理テーブルと、を備える情報処理装置の制御方法であって、
前記情報処理装置が、各無線ＩＣリーダから、各無線ＩＣリーダがそれぞれ読み取った掲出物の識別情報と、当該無線ＩＣリーダの識別情報と、を受信し、
前記情報処理装置が、前記受信した無線ＩＣリーダの識別情報と対応付けて記憶されている掲出物の識別情報と、前記受信した掲出物の識別情報と、の比較を行い、
前記情報処理装置が、前記比較の結果を出力する、
ことを特徴とする情報処理装置の制御方法。
【請求項５】
鉄道車両や駅構内における掲出物の各掲出場所にそれぞれ設置される無線ＩＣリーダと通信可能に接続され、各掲出場所にそれぞれ設置される無線ＩＣリーダの識別情報と、各掲出場所にそれぞれ掲出される掲出物に付加される無線ＩＣチップに記憶される当該掲出物の識別情報と、を対応付けて記憶する掲出物管理テーブルと、を備える情報処理装置に、
各無線ＩＣリーダから、各無線ＩＣリーダがそれぞれ読み取った掲出物の識別情報と、当該無線ＩＣリーダの識別情報と、を受信する手順と、
前記受信した無線ＩＣリーダの識別情報と対応付けて記憶されている掲出物の識別情報と、前記受信した掲出物の識別情報と、の比較を行う手順と、
前記比較の結果を出力する手順と、
を実行させるためのプログラム。
【発明の詳細な説明】
【技術分野】
【０００１】
本発明は、駅構内や鉄道車両に掲出される掲出物の状況の管理を支援する情報処理装置、情報処理装置の制御方法及びプログラムに関する。
【背景技術】
【０００２】
駅構内や鉄道車両（以下、電車とも記す）の車内及び車両外観部分には、広告ポスターや広告ステッカーなどの掲出物が掲出されている。  
従来、掲出物は、掲出業者により掲出された後、掲出業者がカメラやデジタルカメラで掲出状態を撮影して掲出実態を把握している。その後、掲出状態に不備があれば駅や電車の従事者（例えば乗務員や駅員、駅構内清掃員など）からの連絡により復旧作業を担う掲出業者が対処を行っているが、駅や電車の従事者や掲出業者によって掲出作業後の掲出状態を巡回して把握することを行っておらず、掲出物の盗難や剥がれ、汚れ（悪戯書き）が発生しても、掲出業者がそれを知る手段がなく掲出状態の回復に至るまで長い時間がかかっている。実状としては掲出物の盗難や剥がれ、汚れが発生した場合は、その状態を発見した駅や電車の従事者や駅や電車の利用者からの連絡を経て掲出業者が再度掲出や掲出状態の確認を行っている。
【０００３】
このような技術に関連し、対象物にＩＣチップを貼り付けて、ホストコンピュータが記憶するリストと対象物の個別データを照合することで不足しているものの不足リストを作成することにより、書籍の不正持ち出しや返却を管理する技術が開発されている（例えば特許文献１参照）。
【特許文献１】特開２００２−１９９２２号公報
【発明の開示】
【発明が解決しようとする課題】
【０００４】
駅構内や電車に掲出される掲出物は、掲出されている期間に盗難や剥がれが発生することがあるが、このとき、盗難や剥がれなどを、掲出管理責任者が知る手段はなく、駅や電車の従事者や利用者から通告がなければ、放置された状態のままとなる。  
さらに、この場合、掲出物としての効力（宣伝効果）が低下するため、掲出物の依頼元が損害を被ることになる。そのため、掲出の依頼元が掲出に伴う利潤が望めなくなる恐れがある。
【０００５】
本発明は上記課題を鑑みてなされたものであり、駅構内や電車内などの掲出物の状況を把握し、異常が見つかった場合に迅速に改善することを可能にする情報処理装置、情報処理装置の制御方法及びプログラムを提供することを主たる目的とする。
【課題を解決するための手段】
【０００６】
上記課題を解決するために、本発明は、鉄道車両や駅構内における掲出物の各掲出場所にそれぞれ設置される無線ＩＣリーダと通信可能に接続され、各掲出場所にそれぞれ設置される無線ＩＣリーダの識別情報と、各掲出場所にそれぞれ掲出される掲出物に付加される無線ＩＣチップに記憶される当該掲出物の識別情報と、を対応付けて記憶する掲出物管理テーブルと、各無線ＩＣリーダから、各無線ＩＣリーダがそれぞれ読み取った掲出物の識別情報と、当該無線ＩＣリーダの識別情報と、を受信する識別情報受信部と、前記受信した無線ＩＣリーダの識別情報と対応付けて記憶されている掲出物の識別情報と、前記受信した掲出物の識別情報と、の比較を行う識別情報比較部と、前記比較の結果を出力する比較結果出力部と、を備える情報処理装置に関する。
【０００７】
その他、本願が開示する課題、及びその解決方法は、発明を実施するための最良の形態の欄、及び図面により明らかにされる。
【発明の効果】
【０００８】
駅構内や電車内などの掲出物の状況を把握し、異常が見つかった場合に迅速に改善することを可能にする。
【発明を実施するための最良の形態】
【０００９】
＝＝＝全体構成例＝＝＝
図１は、本発明の実施の形態に係る掲出物状態把握システムの全体構成図である。掲出物状態把握システムは、非接触型記憶素子１、読取装置２、掲出物状態データ収集用サーバ３、掲出状態管理サーバ４、状態監視端末５を備える。  
なお、非接触型記憶素子１は、特許請求の範囲に記載の無線ＩＣチップに相当する。また読取装置２は、特許請求の範囲に記載の無線ＩＣリーダに相当する。また掲出物状態データ収集用サーバ３、掲出状態管理サーバ４、及び状態監視端末５は、特許請求の範囲に記載の情報処理装置に相当する。また本実施の形態における掲出物状態データ収集用サーバ３、掲出状態管理サーバ４、及び状態監視端末５は、１台のコンピュータにより構成されるようにすることもできる。
【００１０】
＜非接触型記憶素子＞
非接触型記憶素子１は、個々の掲出物に付帯させる情報記憶媒体である。非接触型記憶素子１は、ＲＦ−ＩＤ（Radio Frequency IDentification）やＩＣチップともいう。非接触型記憶素子１は、読取装置２から送信される電波を受信すると、内部に記憶している情報を送信する機能を有する。図２に示すように非接触型記憶素子１の付帯位置は、掲出物が正常な状態で掲出されている時に読取装置２が非接触型記憶素子１の情報を非接触で読取ることが可能な位置とする。
【００１１】
＜読取装置＞
読取装置２は、非接触型記憶素子１が保持する情報を非接触で読取ることが可能な通信装置である。また読取装置２は、掲出物を掲出するための掲出枠や被掲出物の特定の場所に設置される。例えば読取装置２が非接触型記憶素子１の情報を通信により取得できる場所に設置される。具体的には、例えば図３乃至図６に示すように、掲出枠や被掲出物の形状を考慮し、掲出枠や被掲出物の右上付近に読取装置を設置し、また、読取装置２の設置位置に合わせて非接触型記憶素子１の付帯位置も掲出物の右上付近で統一するとよい。
【００１２】
なお、図３は、駅構内に設けられる掲出物設置場所に掲出枠が設けられる様子を示す。また図４は、電車内において掲出物を中吊りするために設けられる掲出枠を示す。図５は、電車内の壁面において掲出物を掲出するために設けられる掲出枠を示す。図６は、電車のドアに掲出物が貼り付けられる様子を示す図である。
【００１３】
また読取装置２は、後述する掲出物状態データ収集用サーバ３のインターフェース部８と通信を行う。この通信により、読取装置２は、非接触型記憶素子１から取得した掲出物の識別情報や読取装置２の識別情報を掲出物状態データ収集用サーバ３に送信することが可能となる。
【００１４】
読取装置２と掲出物状態データ収集用サーバ３のインターフェース部８間の通信は、無線方式による通信とすることができる。もちろん、有線方式による通信が可能であれば、有線方式であっても良い。ここで、読取装置２と掲出状態データ収集用サーバ３のインターフェース部８間の通信が、読取装置２の設置場所の状況等（例えば地下や閉所地など、電波が届きにくい場所）により困難である場合は、図示していない中継装置を適所に設置して、読取装置２と掲出物状態データ収集用サーバ３のインターフェース部８間の通信を、中継装置を介して通信を行うとしてもよい。
【００１５】
＜掲出物状態データ収集用サーバ＞
掲出状態データ収集用サーバ３は、掲出の拠点となる駅に各々設置するデータ送受信用のコンピュータである。掲出状態データ収集用サーバ３は、読取装置２に対して通信を行い、非接触型記憶素子１の保持する情報と読取装置２が保持する情報を受信して収集し、掲出情報管理サーバ４に送信する。  
掲出物状態データ収集用サーバ３は、掲出物状態データ収集用データベース６、インターフェース部８、制御部９を備えて構成される。
【００１６】
掲出物状態データ収集用データベース６は、掲出物状態データ収集用サーバ３が管轄する読取装置２の情報を記憶する。ここで管轄するとは、通信可能に接続されていることをいう。詳細は後述するが、掲出物状態データ収集用データベース６を図１０に示す。  
インターフェース部８は、管轄する読取装置２に対して非接触型記憶素子１の情報と読取装置２の情報を送信する通信（ここでは指令通信と称す）を行ったり、読取装置２や掲出状態管理サーバ４のインターフェース部１０からの情報を受信したり、読取装置２から受信した情報を掲出状態管理サーバ４のインターフェース部１０に送信したりする。  
制御部９は、インターフェース部８が受信した情報を解析及び処理したり、掲出状態管理サーバ４のインターフェース部１０から受信した情報を掲出物状態データ収集用データベース６に登録及び更新する処理を行ったり、読取装置２から受信した情報を掲出状態管理サーバ４のインターフェース部１０に送信する指令処理をインターフェース部８に対して行ったり、指令通信を指示する処理をインターフェース部８に対して行う。
【００１７】
また、掲出物状態データ収集用サーバ３の各機能は、本実施の形態に係る各種の動作を行うためのコードから構成される掲出物状態データ収集用サーバ制御プログラムが、ＣＰＵ（Central Processing Unit）で実行されることにより実現される。  
掲出物状態データ収集用サーバ３のインターフェース部８と掲出状態管理サーバ４のインターフェース部１０間の通信は、広域ネットワーク回線又は掲出物管理責任元が所有する専用回線による通信とすることができる。
【００１８】
＜掲出情報管理サーバ＞
掲出情報管理サーバ４は、掲出するエリアを統括する場所（ここでは掲出物管理責任元とする）に設置されるデータ管理用のコンピュータである。掲出情報管理サーバ４は、読取装置２の情報や掲出物の情報や掲出計画の情報を記憶し、また、掲出状態データ収集用サーバ３から収集した情報データを記憶する掲出管理データ用データベース７（特許請求の範囲に記載の掲出物管理テーブルに相当する）を備える。掲出情報管理サーバ４は、読取装置２の情報（読取装置２の識別情報）や掲出物の情報（掲出物の識別情報）や掲出計画の情報と掲出状態データ収集用サーバ３から収集した情報を比較し、比較の結果を出力する。例えば不一致データを状態監視端末５に通知する。
【００１９】
掲出状態管理サーバ４は、掲出管理データ用データベース７、インターフェース部１０、制御部１１を備えて構成される。
【００２０】
掲出管理データ用データベース７は、掲出物の情報や読取装置の情報や掲出計画の情報や掲出物状態の見直しが必要な情報を記憶する。詳細は後述するが、掲出管理データ用データベース７は、図１１ないし図１６に示す各データを備えてなる。
【００２１】
インターフェース部１０は、掲出物状態データ収集用サーバ３のインターフェース部８に対して読取装置２の情報を送信したり、掲出物状態データ収集用サーバ３のインターフェース部８から非接触型記憶素子１の情報と読取装置２の情報を受信したり、後述する状態監視端末５に対して掲出物状態の見直しが必要な情報を送信したり、状態監視端末５から掲出物状態の見直しが必要な情報に関する情報を受信したりする。
【００２２】
制御部１１は、掲出物の情報や読取装置の情報や掲出計画の情報を掲出管理データ用データベース６に記憶する処理を行ったり、掲出物状態データ収集用サーバ３から受信した情報を掲出物の情報や読取装置の情報や掲出計画の情報と照合する処理を行い、不一致情報がある場合に掲出状態見直し情報として抽出して掲出管理データ用データベース７に記憶する処理を行う。  
また、制御部１１は、掲出管理データ用データベース７の情報を掲出物状態データ収集用サーバ３のインターフェース部８や状態監視端末に送信する処理をインターフェース部１０に対して行う。  
ここで、不一致情報とは、掲出物の紛失や盗難等、掲出物の状態に問題が発生した時に読取装置２が掲出物の識別情報が読取れず、掲出物の識別情報を掲出状態管理サーバ４まで送信できなかった場合や、読取装置２の障害により掲出物の識別情報及び読取装置２の識別情報を掲出状態管理サーバ４まで送信できなかった場合に掲出状態管理サーバ４の制御部１０が抽出する情報のことである。
【００２３】
また、掲出情報管理サーバ４の各機能は、本実施の形態に係る各種の動作を行うためのコードから構成される掲出情報管理サーバ制御プログラム（特許請求の範囲に記載のプログラムに相当する）が、ＣＰＵで実行されることにより実現される。そしてこれにより、特許請求の範囲に記載の、掲出物管理テーブル、識別情報受信部、識別情報比較部、比較結果出力部が実現される。  
掲出状態管理サーバ４のインターフェース部１０と状態監視端末５間の通信は、広域ネットワーク回線又は掲出物管理責任元が所有する専用回線による通信とすることができる。
【００２４】
＜状態監視端末＞
状態監視端末５は、不一致データを表示して、不一致データに対する入力データを掲出情報管理サーバ４に通知するコンピュータである。  
状態監視端末５の操作者（ここでは掲出管理責任者とする）は、状態監視端末５に表示される掲出状態見直し情報を確認し、掲出物及び読取装置２の状態確認や再掲出作業を対応者（ここでは掲出業者とする）に指示する。状態監視端末５では、掲出管理責任者による不一致情報に対する情報の入力を可能にするとよい。この場合、入力情報は掲出状態管理サーバ４に送信され、掲出管理データ用データベース７に記憶される。  
状態監視端末５の各機能は、本実施の形態に係る各種の動作を行うためのコードから構成される状態監視端末制御プログラムが、ＣＰＵで実行されることにより実現される。
【００２５】
＝＝＝データ形式図＝＝＝
図７から図１６は、非接触型記憶素子１を用いた掲出物状態把握システムのデータ形式図である。
【００２６】
＜非接触型記憶素子が保持するデータ＞
図７は、非接触型記憶素子１が保持するデータの形式図である。図７に示す非接触型記憶素子情報４１は、掲出物の種類毎に唯一となる情報（ここでは掲出物識別番号と称す）から構成される。ここで、非接触型記憶素子情報４１は非接触型記憶素子１毎に唯一となる情報としてもよい。この際は、掲出管理責任者が掲出物の特定を容易に行えるように、掲出管理用データベース７に図示していない非接触型記憶素子情報４１と掲出物の種類を示す情報を記憶して関連性を保持するとよい。非接触型記憶素子情報４１は、読取装置２が非接触記憶素子１に対して通信を行い読取る情報である。非接触型記憶素子情報４１は、掲出物に非接触型記憶素子１を付帯する時点で設定する情報である。
【００２７】
＜読取装置が保持するデータ＞
図８は、読取装置２が保持するデータの形式図である。図８に示す読取装置情報５１は読取装置２毎に唯一となる情報（ここでは読取装置識別番号と称す。特許請求の範囲に記載の無線ＩＣリーダの識別情報に相当する）から構成される。読取装置情報５１は、読取装置２が製造された時点で読取装置２に設定される情報である。また、読取装置識別番号は、掲出物状態データ収集用サーバ３とのインターフェース処理を考慮した情報（例えば、個々の読取装置２に割当てるIPアドレス）としてもよい。
【００２８】
＜読取装置から掲出状態収集用サーバに送信するデータ＞
図９は、読取装置２から掲出状態収集用サーバ３に送信するデータの形式図である。図９に示す掲出状態データ６１は、掲出物識別番号と読取装置識別番号から構成される（図９（１））。掲出状態データ６１は、掲出物識別番号をＮＵＬＬ値許容とする。これは、読取装置２が非接触型記憶素子情報４１を読取ることができない場合に、掲出状態データ６１の掲出物識別番号をＮＵＬＬ値として掲出状態収集用サーバ３に送信するためである（図９（２））。掲出状態データ６１は、読取装置２から掲出状態収集用サーバ３に送信する際に読取装置２にて作成されるデータである。
【００２９】
＜掲出物状態データ収集用データベースが保持するデータ＞
図１０は、掲出物状態データ収集用データベース６が保持するデータの形式図である。図１０に示す読取装置設置データ７１は、読取装置識別番号と設置場所区分と指令通信要否区分から構成される。読取装置識別番号は、掲出状態データ収集用サーバ３が管轄する読取装置２の識別番号を示す。設置場所区分は、読取装置２の設置場所が駅構内か電車かを示す区分を示す（ここでは設置場所区分と称す）。指令通信要否区分は、指令通信が必要か必要でないかを示す区分を示す（ここでは指令通信要否区分と称す）。指令通信要否区分は、読取装置２が設置される掲出枠及び被掲出物に非接触型記憶素子１が付加されていない掲出物を掲出する際、つまり、予め非接触型記憶素子情報４１が取得されないことがわかっている場合に、掲出物状態データ収集用サーバ３の制御部９で識別して読取装置２に対する無駄な指令通信を回避するための情報である。なお指令通信要否区分は、必要と判断しない場合はなくてもよい。
【００３０】
読取装置設置データ７１は、後述する図１１に示す読取装置データ８１が掲出管理データ用データベース７に登録／更新／削除された時点で、読取装置データ８１を基に掲出状態管理サーバ４から掲出物状態データ収集用サーバ３にダウンロードして掲出物状態データ収集用データベース６に反映される情報である。
【００３１】
＜掲出管理データ用データベースが保持する読取装置データ＞
図１１は、掲出管理データ用データベース７が保持する読取装置データの形式図である。読取装置データ８１は、掲出物管理データベース７に記憶される情報である。読取装置データ８１は、読取装置識別番号と設置場所区分と指令通信要否区分と読取装置２が設置される場所の詳細情報（ここでは読取装置設置場所コード及び読取装置設置場所名称と称す）と読取装置２が設置される場所を示す情報（ここでは駅／電車コードと称す）から構成され、読取装置２が掲出枠や被掲出物に設置されている期間中は掲出物管理データベース７に記憶される情報である。
【００３２】
読取装置データ８１の読取装置識別番号は、読取装置２を設置する前に、掲出管理責任者が読取装置情報５１から読取装置識別番号を読取って設定する情報である。掲出管理責任者が読取装置データ８１の読取装置識別番号を読取る手段は電子的な手段であればどのような構成でもよく、読取装置データ８１の掲出物識別番号に設定する手段は電子的に読取った際に必然的に設定する手段や、人手による入力を手段としてもよい。
【００３３】
読取装置データ８１の設置場所区分は、読取装置データ８１に読取装置識別番号が設定され、且つ、読取装置２の設置場所（例えば、駅構内なのか、電車なのか）が決定した時点で設定する情報である。  
読取装置データ８１の指令通信要否区分は、読取装置データ８１に指令通信要否区分以外の情報が設定された後に設定する情報であり、指令通信の要否が変更になった際に設定を変更する情報である。但し、指令通信要否区分は、読取装置設置データ７１の指令通信要否区分と同様に必要ではないと判断する場合は無くてもよい。
【００３４】
読取装置データ８１の読取装置設置場所コードや読取装置設置場所名称は、読取装置が設置される場所を唯一特定するための情報であり、読取装置２を設置する際に設定する情報である。読取装置設置場所コードや読取装置設置場所名称は、後述する掲出状態見直しデータ１３１に設定され、状態監視端末に表示される。これにより、読取装置の設置場所を特定することが容易になり、掲出業者に対応を促す際に、有益な情報を提供することが可能となる。なお読取装置設置場所コードや読取装置設置場所名称は、必要ではないと判断する場合は無くても良い。
【００３５】
読取装置データ８１の駅／電車コードは、読取装置が設置される場所がどこなのか（どこの駅またはどの電車に設置されるのか）を示す情報であり、読取装置２を設置する際に設定する情報である。読取装置データ８１の情報が登録／更新／削除された場合、掲出状態管理サーバ４から掲出物状態データ収集用サーバ３に対して読取装置設置データ７１に必要な情報をダウンロードする。
【００３６】
＜掲出管理データ用データベースが保持する電車データ＞
図１２は、掲出管理データ用データベース７が保持する電車データの形式図である。電車データ９１は、掲出物管理データベース７に記憶される情報である。電車データは読取装置２が設置される電車の情報（ここでは電車コード、電車名称と称す）と電車が出発着する駅の情報（ここでは駅コード、駅名称と称す）から構成され、読取装置データ８１が掲出物管理データベース７に記憶される前に掲出物管理データベース７に記憶される情報である。
【００３７】
電車データ９１の電車名称は、電車データ９１の電車コードと対になる情報であり、必要がない（例えば電車コードのみでよい）と判断する場合は無くてもよい。同様に、電車データ９１の駅名称は、電車データ９１の駅コードと対になる情報であり、必要がない（例えば駅コードのみでよい）と判断する場合は無くてもよい。
【００３８】
＜掲出管理データ用データベースが保持する掲出状態データ収集用サーバデータ＞
図１３は、掲出管理データ用データベース７が保持する掲出状態データ収集用サーバデータの形式図である。掲出状態データ収集用サーバデータ１０１は、掲出物管理データベース７に記憶される情報である。  
掲出状態データ収集用サーバデータ１０１は、掲出状態データ収集用サーバ３を唯一特定する情報（ここでは掲出状態データ収集用サーバ識別番号と称す）と駅コードから構成され、掲出状態データ収集用サーバ４がどの駅に設置されるのかが決定した段階で掲出物管理データベース７に記憶される情報である。  
掲出状態データ収集用サーバデータ１０１の掲出状態データ収集用サーバ識別番号は、読取装置２や掲出物状態データ収集用サーバ３や掲出状態管理サーバ４のインターフェース処理を考慮した情報（例えば、個々の掲出物状態データ収集用サーバ３に割当てられるIPアドレス）としてもよい。
【００３９】
＜掲出管理データ用データベースが保持する掲出物データ＞
図１４は、掲出管理データ用データベースが保持する掲出物データの形式図である。掲出物データ１１１は、掲出物識別番号から構成され、掲出物が掲出枠や被掲出物に掲出されている期間中は掲出物管理データベース７に記憶される情報である。  
掲出物データ８２は、掲出管理責任者が非接触型記憶素子情報４１から掲出物識別番号を読取って設定する情報である。この作業により、実際掲出される掲出物の情報（非接触型記憶素子情報４１）を掲出状態管理サーバ４内（実際には掲出管理データ用データベース７が保持する掲出物データ１１１）で保持することが可能となる。掲出管理責任者が非接触型記憶素子情報４１を読取る手段は電子的な手段であればどのような構成でもよく、掲出物データ１１１の掲出物識別番号に設定する手段は電子的に読取った際に必然的に設定する手段や、人手による入力を手段としてもよい。
【００４０】
＜掲出管理データ用データベースが保持する掲出計画データ＞
図１５は、掲出管理データ用データベースが保持する掲出計画データの形式図である。掲出計画データ１２１は、読取装置データ８１の読取装置識別番号と掲出物データ１１１の掲出物識別番号と掲出物の掲出期間（ここでは掲出開始日付及び掲出終了日付と称す）から構成され、掲出物管理データベース７に記憶される情報である。  
掲出計画データ１２１の掲出開始日付及び掲出終了日付は、非接触型記憶素子が付帯された掲出物を掲出することが決定した時点、且つ、読取装置データ８１に該当する読取装置識別番号や掲出物データ１１１に該当する掲出物識別番号が設定された後で、掲出管理責任者が設定する情報である。掲出物を掲出することが決定した時点とは、掲出物の依頼元と掲出管理責任者間で掲出に関する契約行為が完了した時点のことである。
【００４１】
＜掲出管理データ用データベースが保持する掲出状態見直しデータ＞
図１６は、掲出管理データ用データベースが保持する掲出状態見直しデータの形式図である。掲出状態見直しデータ１３１は、掲出計画データ１２１の読取装置識別番号と掲出物識別番号と掲出物の復旧作業状況を示す区分（ここでは対策状態区分と称す）と読取装置データ８１の読取装置設置場所コードと読取装置設置場所名称と掲出状態データ収集用サーバデータ１０１の掲出状態データ収集用サーバ識別番号と作業情報から構成され、掲出物管理データベース７に記憶される情報である。
【００４２】
掲出状態見直しデータ１３１は、掲出物状態データ収集用サーバ３から受信した掲出状態データ６１と比較して不一致がある場合に作成される情報である。掲出状態見直しデータ１３１の対策状態区分の初期設定値は未対応を示す値（図１６では、対策状態区分０を未対応、対策状態区分１を対応済みと仮定している）を設定し、復旧作業状況に応じて掲出管理責任者が状態監視端末５で設定する情報である。  
掲出状態見直しデータ１３１の読取装置設置場所コードや読取装置設置場所名称は、掲出状態見直しデータ１３１が状態監視端末５に通知され、掲出管理責任者が対応者に対して作業を出す際に、該当する読取装置２の設置場所を確認するための情報であり、掲出状態見直しデータ１３１の読取装置識別番号や掲出状態データ収集用サーバ識別番号で読取装置２の設置場所を特定できるようであればなくてもよい。  
掲出状態見直しデータ１３１の作業情報とは、掲出状態見直しデータ１３１が状態監視端末５に通知され、掲出管理責任者が対応者に対して作業指示を出す際に作業に関する連絡事項等を記憶するためのものである。掲出状態見直しデータ１３１の作業情報は、必要ではないと判断する場合は無くてもよい。
【００４３】
＝＝＝処理の流れ＝＝＝
＜処理の概要＞
詳細の処理については後述するが、本実施の形態に係る掲出状態把握システムにおける処理の概要は以下の通りである。  
まず掲出状態データ収集用サーバ３は、読取装置２に対して非接触型記憶素子１の情報と読取装置の情報を送信するように指令通信を行う。読取装置２は、指令通信を受信すると、非接触型記憶素子１に対して通信を行い、非接触型記憶素子１の情報を読取り、非接触型記憶素子１の情報及び読取装置２の情報を掲出状態データ収集用サーバ３に送信する。  
そうすると掲出状態データ収集用サーバ３は、非接触型記憶素子１の情報及び読取装置２の情報を受信して収集し、掲出情報管理サーバ４に対して収集した情報を送信する。掲出情報管理サーバ４は、掲出状態データ収集用サーバ３から送信された情報を掲出管理データベース７に記憶する。  
また掲出情報管理サーバ４は、掲出状態データ収集用サーバ３から送付された情報と掲出管理データベース７が記憶する読取装置２の情報や掲出物の情報や掲出計画の情報を比較して、不一致がある場合に、不一致情報を状態監視端末５に送付する。  
状態監視端末５では、不一致情報を表示、及び状態監視端末５の操作者による不一致情報に対する情報の入力を可能とする。
【００４４】
以下に各処理の詳細を説明する。
【００４５】
＜読取装置設置データの設定処理＞
まず、読取装置設置データの設定処理について説明する。  
図１７及び図１８は、読取装置設置データ７１の設定方法を示すシーケンス図である。図１７は読取装置データ８１の設置場所区分が駅を示す場合のシーケンス図であり、図１８は読取装置データ８１の設置場所区分が電車を示す場合のシーケンス図である。
【００４６】
＜設置場所区分が駅を示す場合＞
図１７にて、掲出管理責任者が読取装置データ８１を追加や更新や削除を行った場合、掲出管理データ用サーバ４の制御部１１は読取装置データ８１の追加や更新や削除の対象となるデータ（ここでは設定データと称す。また、ここの説明で示す設定データを図１１に示す読取装置データ８１の読取装置識別番号が００００１のデータとする）の設定処理（設定データの追加や更新や削除処理）を行う（ステップ１４０１）。
【００４７】
ここで、読取装置データ８１の設定データの削除処理を行う場合、掲出状態データ収集用サーバ３の読取装置設置データ７１への削除処理を考慮して、掲出管理データ用サーバ４の制御部１１は、削除処理対象の設定データ（図１１に示す読取装置データ８１の読取装置識別番号が００００１であるデータを示す）を図示しない掲出管理データ用データベース７のワークテーブルに一時的に保持するものとする。
【００４８】
次に、掲出管理データ用サーバ４の制御部１１は、読取装置データ８１の設定データ（図１１に示す読取装置データ８１の読取装置識別番号が００００１であるデータを示す）の設置場所区分が駅または電車を示す値かを確認する（ステップ１４０２）。
【００４９】
そして掲出管理データ用サーバ４の制御部１１は、読取装置データ８１の設定データの設置場所区分が駅である場合、読取装置データ８１の駅／電車コードと掲出状態データ収集用サーバデータ１０１の駅コードを結合し、読取装置データ８１の駅／電車コード（図１１に示す読取装置データ８１の読取装置識別番号が００００１の駅／電車コードはＡである）と掲出状態データ収集用サーバデータ１０１の駅コードが一致する掲出状態データ収集用サーバ識別番号（ここでは、図１３に示す掲出状態データ収集用サーバデータ１０１の駅コードがＡである掲出状態データ収集用サーバ識別番号ＳＶ０００１を示す）を抽出する（ステップ１４０３）。
【００５０】
掲出管理データ用サーバ４の制御部１１は、抽出した掲出状態データ収集用サーバ識別番号（ここでは、ＳＶ０００１である）を保持する掲出状態データ収集用サーバ３に設定データ（図１１に示す読取装置データ８１の読取装置識別番号が００００１であるデータを示す）を送付するように掲出管理データ用サーバ４のインターフェース部１０に指令を出す。指令を受理した掲出管理データ用サーバ４のインターフェース部１０は、掲出管理データ用サーバ４の制御部１１が抽出した掲出状態データ収集用サーバ識別番号を保持する掲出状態データ収集用サーバ３（ここでは、掲出状態データ収集用サーバ識別番号ＳＶ０００１を保持する掲出状態データ収集用サーバ３を示す）のインターフェース部８に対して設定データ（図１１に示す読取装置データ８１の読取装置識別番号が００００１であるデータを示す）を送信する。設定データ（図１１に示す読取装置データ８１の読取装置識別番号が００００１であるデータを示す）を受信した掲出状態データ収集用サーバ３（ここでは、掲出状態データ収集用サーバ識別番号ＳＶ０００１を保持する掲出状態データ収集用サーバ３を示す）のインターフェース部８は、設定データ（図１１に示す読取装置データ８１の読取装置識別番号が００００１であるデータを示す）を掲出状態データ収集用サーバ３（ここでは、掲出状態データ収集用サーバ識別番号ＳＶ０００１を保持する掲出状態データ収集用サーバ３を示す）の制御部９に渡す（ステップ１４０４）。
【００５１】
設定データ（図１１に示す読取装置データ８１の読取装置識別番号が００００１であるデータを示す）を受理した掲出状態データ収集用サーバ３（ここでは、掲出状態データ収集用サーバ識別番号ＳＶ０００１を保持する掲出状態データ収集用サーバ３を示す）の制御部９は、読取装置設置データ７１を検索して設定データ（図１１に示す読取装置データ８１の読取装置識別番号が００００１であるデータを示す）の読取装置識別番号と一致する読取装置識別番号が読取装置設置データ７１に設定されている場合、設定データ（図１１に示す読取装置データ８１の読取装置識別番号が００００１であるデータを示す）の読取装置識別番号と一致する読取装置識別番号を保持する読取装置設置データ７１（図１０に示す読取装置設置データ７１の読取装置識別番号が００００１であるデータを示す）の設置場所区分及び指令通信要否区分に設定データの設置場所区分及び指令通信要否区分を設定する（更新及び削除する。削除の場合は読取装置識別番号が００００１であるデータごと削除する）。また、掲出状態データ収集用サーバ３の制御部９が読取装置設置データ７１を検索して、設定データ（図１１に示す読取装置データ８１の読取装置識別番号が００００１であるデータを示す）の読取装置識別番号と一致する読取装置識別番号が読取装置設置データ７１に設定されていなかった場合（図１０では、読取装置識別番号が００００１のデータが記述されているが、ここでは、読取装置設置データ７１に読取装置識別番号が００００１のデータが設定されていなかった場合を示す）、掲出状態データ収集用サーバ３（ここでは、掲出状態データ収集用サーバ識別番号ＳＶ０００１を保持する掲出状態データ収集用サーバ３を示す）の制御部９は、設定データの読取装置識別番号と設置場所区分と指令通信要否区分を読取装置設置データ７１に設定（追加）する（ステップ１４０５）。
【００５２】
＜設置場所区分が電車を示す場合＞
図１８にて、掲出管理責任者が読取装置データ８１を追加や更新や削除を行った場合、掲出管理データ用サーバ４の制御部１１は読取装置データ８１の追加や更新や削除の対象となるデータ（ここでは設定データと称す。また、ここでは設定データを図１１に示す読取装置データ８１の読取装置識別番号が１０００１のデータとする）の設定処理（データの追加や更新や削除処理）を行う（ステップ１５０１）。
【００５３】
ここで、読取装置データ８１（図１１に示す読取装置データ８１の読取装置識別番号が１０００１であるデータを示す）の削除処理を行う場合、掲出状態データ収集用サーバ３の読取装置設置データ７１（図１０に示す読取装置データ８１の読取装置識別番号が１０００１であるデータを示す）の削除処理を考慮して、掲出管理データ用サーバ４の制御部１１は削除処理対象の設定データ（図１１に示す読取装置データ８１の読取装置識別番号が１０００１であるデータを示す）を図示しない掲出管理データ用データベース７のワークテーブルに一時的に保持するものとする。
【００５４】
掲出管理データ用サーバ４の制御部１１は、読取装置データ８１の設定データ（図１１に示す読取装置データ８１の読取装置識別番号が１０００１であるデータを示す）の設置場所区分が駅または電車を示す値かを確認する（ステップ１５０２）。
【００５５】
掲出管理データ用サーバ４の制御部１１は、読取装置データ８１の設定データ（図１１に示す読取装置データ８１の読取装置識別番号が１０００１であるデータを示す）の設置場所区分が電車である場合、読取装置データ８１の駅／電車コードと電車データ９１の電車コードを結合して読取装置データ８１の駅／電車コード（図１１に示す読取装置データ８１の読取装置識別番号が１０００１であるデータの場合、駅／電車コードはＸである）と電車データ９１の電車コードが一致する駅コード（ここでは、図１２に示す電車コードがＸとなる駅コードはＡとＢである）を抽出する。抽出した電車データ９１の駅コードと掲出状態データ収集用サーバデータ１０１の駅コードを結合し、抽出した電車データ９１の駅コード（ここでは、駅コードがＡとＢである）と掲出状態データ収集用サーバデータ１０１の駅コードが一致する掲出状態データ収集用サーバ識別番号（ここでは、図１３に示す掲出状態データ収集用サーバデータ１０１の駅コードがＡとＢである掲出状態データ収集用サーバ識別番号ＳＶ０００１とＳＶ０００２を示す）を抽出する（ステップ１５０３）。
【００５６】
掲出管理データ用サーバ４の制御部１１は、抽出した掲出状態データ収集用サーバ識別番号（ここでは、ＳＶ０００１とＳＶ０００２を示す）を保持する掲出状態データ収集用サーバ３（ここでは、掲出状態データ収集用サーバ識別番号がＳＶ０００１及びＳＶ０００２と設定された掲出状態データ収集用サーバ３を示す）に設定データ（図１１に示す読取装置データ８１の読取装置識別番号が１０００１であるデータを示す）を送付するように掲出管理データ用サーバ４のインターフェース部１０に指令を出す。指令を受理した掲出管理データ用サーバ４のインターフェース部１０は、掲出管理データ用サーバ４の制御部１１が抽出した掲出状態データ収集用サーバ識別番号を保持する掲出状態データ収集用サーバ３（ここでは、掲出状態データ収集用サーバ識別番号がＳＶ０００１及びＳＶ０００２と設定された掲出状態データ収集用サーバ３を示す）のインターフェース部８に対して設定データ（図１１に示す読取装置データ８１の読取装置識別番号が１０００１であるデータを示す）を送信する。設定データ（図１１に示す読取装置データ８１の読取装置識別番号が１０００１であるデータを示す）を受信した掲出状態データ収集用サーバ３（ここでは、掲出状態データ収集用サーバ識別番号がＳＶ０００１及びＳＶ０００２と設定された掲出状態データ収集用サーバ３を示す）のインターフェース部８は、設定データ（図１１に示す読取装置データ８１の読取装置識別番号が１０００１であるデータを示す）を掲出状態データ収集用サーバ３（ここでは、掲出状態データ収集用サーバ識別番号がＳＶ０００１及びＳＶ０００２と設定された掲出状態データ収集用サーバ３を示す）の制御部９に送信する（ステップ１５０４）。
【００５７】
設定データ（図１１に示す読取装置データ８１の読取装置識別番号が１０００１であるデータを示す）を受理した掲出状態データ収集用サーバ３（ここでは、掲出状態データ収集用サーバ識別番号がＳＶ０００１及びＳＶ０００２と設定された掲出状態データ収集用サーバ３を示す）の制御部９は、読取装置設置データ７１を検索して設定データの読取装置識別番号と一致する読取装置識別番号が読取装置設置データ７１に設定されている場合、設定データ（図１１に示す読取装置データ８１の読取装置識別番号が１０００１であるデータを示す）の読取装置識別番号と一致する読取装置識別番号を保持する読取装置設置データ７１の設置場所区分及び指令通信要否区分に設定データ（図１１に示す読取装置データ８１の読取装置識別番号が１０００１であるデータを示す）の設置場所区分及び指令通信要否区分を設定する（更新及び削除する。削除の場合は読取装置識別番号が１０００１であるデータごと削除する）。また、掲出状態データ収集用サーバ３（ここでは、掲出状態データ収集用サーバ識別番号がＳＶ０００１及びＳＶ０００２と設定された掲出状態データ収集用サーバ３を示す）の制御部９が読取装置設置データ７１を検索して、設定データ（図１１に示す読取装置データ８１の読取装置識別番号が１０００１であるデータを示す）の読取装置識別番号と一致する読取装置識別番号が読取装置設置データ７１に設定されていなかった場合（図１０では、読取装置識別番号が１０００１のデータが記述されているが、ここでは、読取装置設置データ７１に読取装置識別番号が１０００１のデータが設定されていなかった場合を示す）、掲出状態データ収集用サーバ３（ここでは、掲出状態データ収集用サーバ識別番号がＳＶ０００１及びＳＶ０００２と設定された掲出状態データ収集用サーバ３を示す）の制御部９は、設定データ（図１１に示す読取装置データ８１の読取装置識別番号が１０００１であるデータを示す）の読取装置識別番号と設置場所区分と指令通信要否区分を読取装置設置データ７１に設定（追加）する（ステップ１５０５）。
【００５８】
＜掲出状態管理サーバが掲出状態データを取得する処理＞
次に、掲出状態管理サーバ４が掲出状態データ６１を取得する処理について説明する。図１９及び図２０は、掲出状態管理サーバが掲出状態データ６１を取得するシーケンス図である。図１９は掲出状態が正常である場合のシーケンス図であり、図２０は掲出状態に不備が発生している場合のシーケンス図である。
【００５９】
＜掲出状態が正常である場合＞
図１９にて、掲出状態データ収集用サーバ３の制御装置９は、定期的に読取装置設置データ７１を参照し、設置場所区分が駅構内を示す値の場合（図１０で示す読取装置設置データ７１の設置場所区分が駅の場合）は定期的に、設置場所区分が電車を示す値の場合（図１０に示す読取装置設置データ７１の設置場所区分が電車の場合）は電車が駅に出着する時点で（例えば電車からの通信連絡を基に）インターフェース部８を介して読取装置２に読取装置送信情報６１の指令通信を送信する。更に掲出状態データ収集用サーバ３の制御装置９は、読取装置設置データ７１の指令通信要否区分を参照し、指令通信不要を示す値であった場合（図１０で示す読取装置設置データ７１の指令通信要否区分が否の場合）はその読取装置識別番号を保持する読取装置２（ここでは、図１０で示す読取装置設置データ７１の読取装置識別番号が００００２である読取装置２を示す）への指令通信は行わない判断をし、指令通信要を示す値であった場合（図１０で示す読取装置設置データ７１の指令通信要否区分が要の場合）はその読取装置識別番号を保持する読取装置２（ここでは、図１０で示す読取装置設置データ７１の読取装置識別番号が００００１や１０００１である読取装置２を示す）への指令通信を行う判断をする（ステップ１６０１）。
【００６０】
指令通信要否区分によって指令通信の要否を判別するようにすることにより、掲出枠や被掲出物に読取装置２が設置されていても掲出物に非接触型記憶素子１が付加されていない場合に無駄な通信処理を行わないようにすることができる。なお必要でないと判断する場合は、指令通信要否区分は無くてもよい。ここで、設置場所区分が電車を示す値の場合（図１０に示す読取装置設置データ７１の設置場所区分が電車の場合）の指令通信は、乗務員が電車の出発時に押下する発車ベルに依存するようにすることができる。この場合、発車ベルと掲出状態データ収集用サーバ３のインターフェース部８を電気配線で接続し、発車ベル押下時に発せられる電気信号を掲出状態データ収集用サーバ３のインターフェース部８が受信した際、掲出状態データ収集用サーバ３のインターフェース部８が制御部９に対して電気信号の受信を通知し、制御部９が読取装置設置データ７１の設置場所区分が電車且つ指定通信要否区分が要の読取装置識別番号を保持する読取装置２（ここでは、図１０で示す読取装置設置データ７１の読取装置識別番号が１０００１である読取装置２を示す）に対して指令通信を行うものとする。掲出状態データ収集用サーバ３の制御部９はインターフェース部８に対して、読取装置設置データ７１の指定通信要否区分が要の読取装置識別番号を保持する読取装置２（図１０では、読取装置設置データ７１の読取装置識別番号が００００１そして１０００１である読取装置２が該当するが、ここでは読取装置識別番号が００００１を取り上げて記述する）に対して指令通信を行うように指示を出し、インターフェース部８は読取装置２（ここでは、読取装置識別番号が００００１である読取装置２を示す）に対して指令通信を行う（ステップ１６０２）。
【００６１】
そうすると、読取装置２（ここでは、読取装置識別番号が００００１である読取装置２を示す）は、指令送信を受信すると非接触型記憶素子１（ここでは、例えば、指令送信日が２０００年１月１０日であった場合、図１５で示す掲出計画データ１２１の読取装置識別番号が００００１であり、且つ指令通信日が掲出開始日付から掲出終了日付の期間内に含まれる掲出物識別番号１１１１１１１１を有する非接触型記憶素子１を示す）に対して通信を行い、非接触型記憶素子１（ここでは、掲出物識別番号が１１１１１１１１である非接触型記憶素子１を示す）から非接触型記憶素子情報４１（ここでは、掲出物識別番号が１１１１１１１１である非接触型記憶素子情報４１を示す）を取得する（ステップ１６０３）。
【００６２】
読取装置２（ここでは、読取装置識別番号が００００１である読取装置２を示す）は、非接触型記憶素子情報４１（ここでは、掲出物識別番号が１１１１１１１１である非接触型記憶素子情報４１を示す）を取得すると、取得した非接触型記憶素子情報４１の掲出物識別番号（ここでは、掲出物識別番号１１１１１１１１である）と読取装置情報５１の読取装置識別番号（ここでは、読取装置識別番号００００１である）から掲出状態データ６１（ここでは、図９（１）に示すような掲出物識別番号が１１１１１１１１且つ読取装置識別番号が００００１である掲出状態データ６１を示す）を生成し（ステップ１６０４）、掲出物状態データ収集用サーバ３のインターフェース部８に掲出状態データ６１（ここでは、図９（１）に示すような掲出物識別番号が１１１１１１１１且つ読取装置識別番号が００００１である掲出状態データ６１を示す）を送信する（ステップ１６０５）。
【００６３】
ここで、読取装置２が非接触型記憶素子１から非接触型記憶素子情報４１を取得できなかった時を考慮し、読取装置２が指令通信を受信して一定時間内に非接触型記憶素子情報４１が読取れなかった場合は、掲出状態データ６１の掲出物識別番号をＮＵＬＬ値として掲出物状態データ収集用サーバ３のインターフェース部８に掲出状態データ６１（ここでは、図９（２）に示す掲出物識別番号がＮＵＬＬ且つ読取装置識別番号が１０００１である掲出状態データ６１を示す）を送信するものとする（このケースについては、後述する図２０に関する記述にて説明する）。
【００６４】
掲出物状態データ収集用サーバ３のインターフェース部８は、読取装置２から掲出状態データ６１（ここでは、図９（１）に示す掲出物識別番号が１１１１１１１１且つ読取装置識別番号が００００１である掲出状態データ６１を示す）を受信後、掲出状態管理サーバ４のインターフェース部１０に掲出状態データ６１（ここでは、図９（１）に示す掲出物識別番号が１１１１１１１１且つ読取装置識別番号が００００１である掲出状態データ６１を示す）を送信する（ステップ１６０６）。
【００６５】
掲出状態管理サーバ４のインターフェース部１０は、掲出物状態データ収集用サーバ３のインターフェース部８から掲出状態データ６１（ここでは、図９（１）に示す掲出物識別番号が１１１１１１１１且つ読取装置識別番号が００００１である掲出状態データ６１を示す）を受信後、制御部１１に掲出状態データ６１（ここでは、図９（１）に示す掲出物識別番号が１１１１１１１１且つ読取装置識別番号が００００１である掲出状態データ６１を示す）を受信したことを通知し、制御部１１は掲出状態データ６１（ここでは、図９（１）に示す掲出物識別番号が１１１１１１１１且つ読取装置識別番号が００００１である掲出状態データ６１を示す）を掲出計画データ１２１と照合する処理を行う（ステップ１６０７）。
【００６６】
制御部１１は、始めに、掲出状態データ６１（ここでは、図９（１）に示す掲出物識別番号が１１１１１１１１且つ読取装置識別番号が００００１である掲出状態データ６１を示す）に掲出物識別番号が存在することを確認する。次に、掲出状態データ６１の読取装置識別番号と掲出計画データ１２１の読取装置識別番号を付け合わせて一致した場合、更に、掲出状態管理サーバ４のインターフェース部１０が掲出状態データ６１を受信した日時が、掲出計画データ１２１の掲出開始日付と掲出終了日付の期間内であることを確認する。最後に掲出状態データ６１（ここでは、図９（１）に示す掲出物識別番号が１１１１１１１１且つ読取装置識別番号が００００１である掲出状態データ６１を示す）の掲出物識別番号と掲出計画データ１２１の掲出物識別番号が一致していることを確認すると、制御部１１は確認完了した掲出状態データ６１を破棄する処理を行う。
【００６７】
＜掲出状態が正常でない場合＞
図２０にて、ステップ１７０１から１７０７までの処理フローは図１９のステップ１６０１から１６０７の処理フローと同様な処理を行うものである。ステップ１７０７以降では、掲出状態データ６１の情報と掲出計画データ１２１の情報とが不一致な場合についての処理フローである。
【００６８】
ステップ１７０７で示す不一致な場合とは、制御部１１が掲出状態データ６１に掲出物識別番号が存在することを確認した際、掲出状態データ６１の掲出物識別番号がＮＵＬＬ値であった場合（ここでは、図９（２）に示す掲出物識別番号がＮＵＬＬ且つ読取装置識別番号が１０００１である掲出状態データ６１の場合）である。また、ここで、掲出状態データ収集用サーバ３のインターフェース部８と読取装置２間でヘルスチェック機能（通信の死活状態を確認する機能）を有しているのであれば、掲出状態データ収集用サーバ３のインターフェース部８が一定期間内に読取装置２の動作または掲出状態データ収集用サーバ３のインターフェース部８と読取装置２間の通信を確認出来なかった場合にその旨（仮に読取装置不動情報と称す）を、掲出状態管理サーバ４のインターフェース部１０に通知して掲出状態管理サーバ４のインターフェース部１０が読取装置不動情報を受信した際に上記に示す不一致な場合として処理してもよい。
【００６９】
制御部１１では、この不一致な場合と判断した際（インターフェース部１０を介して受信した図９（２）に示す掲出状態データ６１の読取装置識別番号と掲出計画データ１２１の読取装置識別番号を付け合せて、更に掲出状態管理サーバ４のインターフェース部１０が図９（２）に示す掲出状態データ６１を受信した日時が、掲出計画データ１２１の掲出開始日付と掲出終了日付の期間内であることを確認した後に、図９（２）に示す掲出状態データ６１の掲出物識別番号と掲出計画データ１２１の掲出物識別番号が一致していないと判明した際）、掲出状態見直しデータ１３１を掲出管理データ用データベース７に作成する（ステップ１７０８）。
【００７０】
制御部１１は、掲出状態見直しデータ１３１を作成後、インターフェース部１０を経由して状態監視端末５に掲出状態見直しデータ１３１を送付する。状態監視端末５にて掲出状態見直しデータ１３１を更新（ここでは、図１６に示す対策状態区分が変更入力した場合や作業情報を追加及び修正及び削除した場合を示す）して状態監視端末５が掲出状態管理サーバ４のインターフェース部１０に掲出状態見直しデータ１３１を送信（送信方法は、状態監視端末５の画面上にボタンを配置して、ボタンを押下したタイミングとしたり、状態監視端末５の画面に表示される掲出状態見直しデータ１３１の更新が終了したことをトリガーとしてもよい）すると、インターフェース部１０は受信した掲出状態見直しデータ１３１を制御部１１に引渡し、制御部１１は受信した掲出状態見直しデータ１３１を掲出管理データ用データベースに記憶されている掲出状態見直しデータ１３１に更新する処理を行う（ステップ１７０９乃至ステップ１７１２）。
【００７１】
＜掲出状態見直しデータの運用処理＞
次に、ステップ１７１０及びステップ１７１１における、状態監視端末５での掲出状態見直しデータ１３１の運用に関して説明する。図２１は、掲出状態見直しデータを運用するフローチャートである。
【００７２】
掲出状態管理サーバ４では、掲出状態見直しデータ１３１を作成した時にインターフェース部１０を経由して状態監視端末５に掲出状態見直しデータ１３１を送信する（ステップ１８０１）。  
状態監視端末５では受信した掲出状態見直しデータ１３１を状態監視端末の画面上に表示する。掲出管理責任者は、状態監視端末５に表示される掲出状態見直しデータ１３１を確認して、掲出業者に掲出状態確認作業や再掲出作業の指示を連絡する（ステップ１８０２）。
【００７３】
この時、掲出管理責任者は、掲出状態見直しデータ１３１を参照して、掲出状態確認作業や再掲出作業が必要ないと判断する場合、状態監視端末５に表示される掲出状態見直しデータ１３１の対策状態区分に作業が不要である旨を示す値（例えば、作業保留や作業不要を示す設定値）を入力する。掲出業者の作業終了後、掲出業者は掲出管理責任者に連絡をして、作業状況を報告する（ステップ２０３）。
【００７４】
ここで、掲出管理責任者から掲出業者への連絡手段として、状態監視端末５から掲出状態見直しデータ１３１をベースとした情報を掲出業者が保有する携帯端末へメール送信する方法を用いてもよい。更に、掲出業者から掲出管理責任者への作業終了後の連絡手段として、掲出業者が保有する携帯端末から状態監視端末５へのメール送信する方法を用いてもよい。その際は、メール受信データ（ここでは作業報告情報と称す）を状態監視端末の表示データへ反映可能にするとよい。
【００７５】
掲出管理責任者は、掲出業者からの作業報告情報を基に状態監視端末５に表示される掲出状態見直しデータ１３１の対策状態区分に作業報告情報の内容に見合った値（例えば作業済を示す値）を入力する（ステップ１８０４）。ここで、掲出管理責任者が状態監視端末５に作業報告情報を入力したい場合、掲出状態見直しデータ１３１に作業報告情報を追加して入力できるようにしてもよい。
【００７６】
掲出管理責任者が状態監視端末５で入力した作業報告情報は、掲出状態管理サーバ４に送信して掲出状態見直しデータ１３１に記憶する（ステップ１８０５）。掲出状態管理サーバ４の制御部１１は、掲出状態見直しデータ１３１の対策状態区分の値を識別して、掲出状態見直しデータ１３１の状態監視端末５への通知要否を判断してもよい。
【００７７】
以上説明したように、本実施の形態によれば、駅構内や電車内などの掲出物の状況を把握し、異常が見つかった場合に迅速に改善することができる。例えば、掲出物が盗難にあった場合や被掲出物及び掲出枠から掲出物が著しくずれた状態となった場合など、掲出物の状態に問題が発生した場合に、放置状態にすることがなく、掲出状態の確認及び再掲出作業の指示やその対応に要する時間を短縮することが可能となる。
【００７８】
また上記対応に伴い、掲出物の依頼元に対しても掲出物としての効力低下を最小限に留めることで、掲出行為自体に対する信頼や安心を提供することができることになる。
【００７９】
また、さらに、掲出状態に問題が発生した場合のデータを蓄積及び分析することで、例えば盗難の被害を受けやすい掲出場所の特定や、掲出物がはがれやすい掲出場所の特定などが可能となり、重点的に掲出状態を補強する箇所の特定や把握すること及びそれに対する対策を検討することが可能となる。
【００８０】
本実施の形態は、非接触型記憶素子１のフレキシブル素材（紙やプラスチック）への付帯技術や非接触型記憶素子１と読取装置（通信装置）２の通信技術も確立されており、また、上述した効果やその有用性が期待されることから、特に交通広告業界での利用確度は高い。
【００８１】
以上発明を実施するための最良の形態について説明したが、上記実施の形態は本発明の理解を容易にするためのものであり、本発明を限定して解釈するためのものではない。例えば、電車以外にも広く鉄道車両に適用可能である。鉄道車両には、電車の他、モノレールやリニアモーターカー、路面電車等、所定の軌道上を走行する目的で編成される車両が含まれる。また本発明はその趣旨を逸脱することなく変更、改良され得ると共に、本発明にはその等価物も含まれる。
【図面の簡単な説明】
【００８２】
【図１】本実施の形態に係る掲出物状態把握システムのシステム構成図である。
【図２】本実施の形態に係る非接触型記憶素子の設置図である。
【図３】本実施の形態に係る読取装置の設置図である。
【図４】本実施の形態に係る読取装置の設置図である。
【図５】本実施の形態に係る読取装置の設置図である。
【図６】本実施の形態に係る読取装置の設置図である。
【図７】本実施の形態に係る非接触型素子が保持するデータの形式図である。
【図８】本実施の形態に係る読取装置が保持するデータの形式図である。
【図９】本実施の形態に係る読取装置から掲出状態収集用サーバに送信するデータの形式図である。
【図１０】本実施の形態に係る掲出状態データ収集用データベースが保持するデータの形式図である。
【図１１】本実施の形態に係る掲出管理データ用データベースが保持する読取装置データの形式図である。
【図１２】本実施の形態に係る掲出管理データ用データベースが保持する電車データの形式図である。
【図１３】本実施の形態に係る掲出管理データ用データベースが保持する掲出状態データ収集用サーバデータの形式図である。
【図１４】本実施の形態に係る掲出管理データ用データベースが保持する掲出物データの形式図である。
【図１５】本実施の形態に係る掲出管理データ用データベースが保持する掲出計画データの形式図である。
【図１６】本実施の形態に係る掲出管理データ用データベースが保持する掲出状態見直しデータの形式図である。
【図１７】本実施の形態に係る読取装置設置データを掲出状態データ収集用サーバに設置する方法（読取装置が駅構内に設置される場合）を示すシーケンス図である。
【図１８】本実施の形態に係る読取装置設置データを掲出状態データ収集用サーバに設置する方法（読取装置が電車に設置される場合）を示すシーケンス図である。
【図１９】本実施の形態に係る掲出状態を確認するシーケンス図（不一致データが無い場合）である。
【図２０】本実施の形態に係る掲出状態を確認するシーケンス図（不一致データが有る場合）である。
【図２１】本実施の形態に係る掲出状態見直しデータを運用するフローチャートである。
【符号の説明】
【００８３】
１    非接触型記憶素子
２    読取装置
３    掲出物状態データ収集用サーバ
４    掲出状態管理サーバ
５    状態監視端末
６    掲出物状態データ収集用データベース
７    掲出物管理データベース
８    インターフェース部（掲出状態データ収集用サーバ内）
９    制御部（掲出状態データ収集用サーバ内）
１０    インターフェース部（掲出状態管理サーバ内）
１１    制御部（掲出状態管理サーバ内）
４１    非接触型記憶素子情報
５１    読取装置情報
６１    掲出状態データ
７１    読取装置設置データ
８１    読取装置データ
９１    電車データ
１０１  掲出状態データ収集用サーバデータ
１１１  掲出物データ
１２１  掲出計画データ
１３１  掲出状態見直しデータ
【図１】
2007065843.tif 000003
【図２】
2007065843.tif 000004
【図３】
2007065843.tif 000005
【図４】
2007065843.tif 000006
【図５】
2007065843.tif 000007
【図６】
2007065843.tif 000008
【図７】
2007065843.tif 000009
【図８】
2007065843.tif 000010
【図９】
2007065843.tif 000011
【図１０】
2007065843.tif 000012
【図１１】
2007065843.tif 000013
【図１２】
2007065843.tif 000014
【図１３】
2007065843.tif 000015
【図１４】
2007065843.tif 000016
【図１５】
2007065843.tif 000017
【図１６】
2007065843.tif 000018
【図１７】
2007065843.tif 000019
【図１８】
2007065843.tif 000020
【図１９】
2007065843.tif 000021
【図２０】
2007065843.tif 000022
【図２１】
2007065843.tif 000023